(57)【要約】      （修正有）【課題】外部機器からの入力信号の信号レベルに拘わらずに当該入力信号により規定された点灯状態に照明器具を制御できる制御機を提供する。【解決手段】照明器具の点灯を自立的に制御する制御機１０において、前記照明器具の点灯状態を規定する入力信号が外部機器から入力される外部入力部４２、４３と、前記入力信号に基づく点灯制御を指定する外部入力有効指定欄を有した点灯スケジュールデータ１６と、を備え、前記外部入力有効指定欄によって前記入力信号に基づく点灯制御の実行が指定されている間は、前記入力信号が規定する点灯状態になるように前記照明器具の点灯を制御する構成とした。【選択図】図２
2013149464.tif 000002
【特許請求の範囲】
【請求項１】
照明器具の点灯を自立的に制御する制御機において、
前記照明器具の点灯状態を規定する入力信号が外部機器から入力される外部入力部と、
前記入力信号に基づく点灯制御を指定する指定手段と、を備え、
前記指定手段によって前記入力信号に基づく点灯制御が指定されている間は、前記入力信号が規定する点灯状態になるように前記照明器具の点灯を制御する
ことを特徴とする制御機。
【請求項２】
前記入力信号に基づく点灯制御を実行する時間帯を規定したスケジュールデータを記憶する記憶手段を備え、
前記指定手段は、前記スケジュールにしたがって指定を行うことを特徴とする請求項１に記載の制御機。
【請求項３】
複数の前記外部入力部を備え、それぞれの外部入力部から重複して前記入力信号が入力された場合に優先する順位を設定可能にしたことを特徴とする請求項１又は２に記載の制御機。
【発明の詳細な説明】
【技術分野】
【０００１】
本発明は、照明器具の点灯を制御する制御機に関する。
【背景技術】
【０００２】
１又は複数の照明器具の点灯を制御機で中枢的に制御する照明システムが知られている。この種の照明システムは、屋外を照明する屋外照明システムと屋内を照明する屋内照明システムの両方で広く用いられている（例えば、特許文献１参照）。屋外照明システムとしては、例えば道路の照明に供される道路照明システム、街路やアーケードの照明に供される街路照明システム、ショッピングモールや各種施設を照明し景観を高める景観照明システムといったシステムが挙げられる。また屋内照明システムとしては、居室の照明に供される室内照明システム、建物内の照明に供される館内照明システムといったシステムが挙げられる。
【０００３】
これらの照明システムでは、照明の用途や目的に応じて必要とされる照明をしつつ、必要以上の照明を抑えることで無駄を削減するように、制御機が照明器具の各々の点灯を制御することで照明の効率化が図られている。
道路照明システムを例示すると、制御機が道路に沿って配置された各照明器具（道路灯）の点灯を中枢的に制御している。道路照度では、交通の安全確保に必要な道路の照度を規定するファクターの一つに交通量がある。
そこで、照明対象の道路の交通量を時刻ごとに予想し、当該時刻ごとの交通量に応じて、各照明器具の点灯状態を時刻ごとに予め規定したスケジュールデータを作成し、このスケジュールデータにしたがって制御機が各照明器具の点滅や調光を中枢的に制御することで道路照明に必要とされる照明をし、なおかつ、必要以上に道路の照度を高めないようにすることで照明の無駄を削減している。
【０００４】
一方、人体検知センサ（人感センサ）や、照度センサ、調光器といった外部機器からの信号に基づいて、照明器具の点灯を制御する技術も知られている。この種の技術では、一般に、照明器具の点灯／消灯を指示する２値レベルの信号、或いは調光をＰＷＭ制御する際に用いられるＰＷＭ信号を外部機器が出力し、これらの信号に基づいて照明器具の点灯が制御される（例えば、特許文献２参照）。
【先行技術文献】
【特許文献】
【０００５】
【特許文献１】特開２０１１−１８４６６号公報
【特許文献２】特開２０１０−５５７６６号公報
【発明の概要】
【発明が解決しようとする課題】
【０００６】
ところで、所定のスケジュールデータにしたがって照明器具の点灯を中枢的に制御する制御機において、上記の外部機器の入力を受付可能に構成されていれば、外部機器の入力に応じて照明器具の点灯をリアルタイムに変化させることができる。
特に、この構成の制御機において、通常時はスケジュールデータにしたがって動作し、外部機器から入力信号が入力されている間は、スケジュールデータよりも入力信号を優先させて当該入力信号に基づき点灯を制御する構成とすることで、外部機器から信号が出力された場合に、この信号に応じた適切な点灯の制御が実現できる。
【０００７】
しかしながら、この構成では、次のような問題が生じる。
すなわち、ＰＷＭ制御による調光においては、デューティ比が０％のＰＷＭ信号、すなわち定常的にＬｏｗレベル（アースレベル）のＰＷＭ信号が１００％調光（最大出力での全点灯）を指示する。しかしながら、外部機器が未接続の場合にも、制御機への入力はＬｏｗレベルとなる。このため、制御機は、外部機器が接続されている状態であっても、ＬｏｗレベルのＰＷＭ信号が入力された時点で外部機器が未接続状態、或いは信号未入力状態となったものと判断し、スケジュールデータにしたがった点灯制御を実行してしまう、という問題がある。
【０００８】
この問題は、ＰＷＭ信号に限らず、Ｌｏｗレベルが点灯を指示しＨｉｇｈレベルが消灯を指示する２値の信号であっても同様に生じる課題である。
また、この問題は、スケジュールデータにしたがって点灯を制御する制御機に限らず、任意の点灯制御の態様により照明器具の点灯を自立的に制御しつつ、外部機器からの信号が入力された場合に当該信号に基づいて点灯を制御する構成の制御機に共通する課題である。
【０００９】
本発明は、上述した事情に鑑みてなされたものであり、外部機器からの入力信号の信号レベルに拘わらずに当該入力信号により規定された点灯状態に照明器具を制御できる制御機を提供することを目的とする。
【課題を解決するための手段】
【００１０】
上記目的を達成するために、本発明は、照明器具の点灯を自立的に制御する制御機において、前記照明器具の点灯状態を規定する入力信号が外部機器から入力される外部入力部と、前記入力信号に基づく点灯制御を指定する指定手段と、を備え、前記指定手段によって前記入力信号に基づく点灯制御が指定されている間は、前記入力信号が規定する点灯状態になるように前記照明器具の点灯を制御することを特徴とする。
【００１１】
また本発明は、上記制御機において、前記入力信号に基づく点灯制御を実行する時間帯を規定したスケジュールデータを記憶する記憶手段を備え、前記指定手段は、前記スケジュールにしたがって指定を行うことを特徴とする。
【００１２】
また本発明は、上記制御機において、複数の前記外部入力部を備え、それぞれの外部入力部から重複して前記入力信号が入力された場合に優先する順位を設定可能にしたことを特徴とする。
【発明の効果】
【００１３】
本発明によれば、照明器具の点灯状態を規定する入力信号に基づく点灯制御を指定する指定手段を備え、当該指定手段によって入力信号に基づく点灯制御が指定されている間は、当該入力信号が規定する点灯状態になるように照明器具の点灯を制御する構成とした。これにより、指定手段により指定されている間は、入力信号の信号レベルが如何なるレベルとなった場合でも、外部機器が未接続の状態、或いは入力信号が未入力の状態とみなされる事がなく、外部機器の入力信号が指定する点灯状態に照明器具を適切に制御できる。
【図面の簡単な説明】
【００１４】
【図１】本発明の実施形態に係る照明システムの構成図である。
【図２】制御機の機能的構成を概略的に示すブロック図である。
【図３】点灯スケジュールデータの概念図である。
【図４】制御機による照明器具の制御動作のフローチャートである。
【図５】制御機による一日（午前零時から午後２４時まで）に亘る調光制御動作の一例を示す図である。
【図６】本発明の変形例に係る制御機による一日（午前零時から午後２４時まで）に亘る調光制御動作の一例を示す図である。
【発明を実施するための形態】
【００１５】
以下、本発明の実施形態について図面を参照して説明する。以下では、本発明に係る照明システムとして、屋内照明システムの一つである館内照明システムを例示する。
【００１６】
図１は本実施形態に係る館内照明システム１の構成図である。
館内照明システム１は、同図に示すように、制御機１０と、複数の照明器具２０とを備え、制御機１０と照明器具２０の各々とを通信線２を介して通信可能に接続し、制御機１０が照明器具２０の各々の点灯を中枢的に制御するシステムである。制御機１０による照明器具２０の点灯の制御には、点灯及び消灯の切換（すなわち点滅）、調光、並びに光色切換の一部又は全部が含まれる。照明器具２０の各々は、照明対象の空間である館内の居室や共用スペース等のそれぞれに適宜に配置され、制御機１０の制御の下に点灯し、当該館内を照明する。制御機１０は、照明器具２０と独立して構成された機器である。この制御機１０は、各照明器具２０の点灯を制御可能であれば、照明対象の空間に限定されることはなく任意の場所に設置することができ、例えば建物内の制御室等に設置される。
なお、制御機１０と照明器具２０の間の通信には、通信線２を通じた有線通信に限らず無線通信を用いることもできる。
【００１７】
図２は制御機１０の機能的構成を概略的に示すブロック図である。
同図に示すように、制御機１０は、マイコン１１と、第１通信回路１２と、ＲＴＣ（Ｒｅａｌ  Ｔｉｍｅ  Ｃｌｏｃｋ）１３と、第２通信回路１４とを備えている。
マイコン１１は、所定プログラムに基づいて動作する回路であって、各部を中枢的に制御する制御手段として機能する。またマイコン１１は、ＲＡＭやＲＯＭ等から成り各種のデータを記憶するデータ記憶部１５を備えている。このデータ記憶部１５には、照明器具２０の各々の点灯を時刻に応じて制御するための点灯スケジュールデータ１６が格納されている。
第１通信回路１２は、マイコン１１の制御の下、通信線２を通じて照明器具２０の各々と所定の通信規格に準拠して通信する手段を構成する回路である。この通信規格には、例えば米国電子工業会(ＥＩＡ)によって標準化されている通信規格の一つであるＲＳ−４８５が用いられる。
【００１８】
ＲＴＣ１３は、現在の時刻を計時してマイコン１１に出力する計時手段を構成するものである。ＲＴＣ１３は、例えばマイコン１１の基板上に設けられ、基板への電源供給が遮断されている間は、当該基板上に設けられている電池から電源供給を受けて動作することで常時に時刻を計時し続け、実際の時刻との間にズレが生じることを防止する。
第２通信回路１４は、マイコン１１の制御の下、外部端末１７と通信する手段を構成する回路である。外部端末１７は、上記点灯スケジュールデータ１６を設定し、データ記憶部１５に格納するための端末である。この外部端末１７には、例えば可搬型のパーソナルコンピュータ等の任意の端末が用いられる。また第２通信回路１４と外部端末１７の間の通信にも任意の通信規格を用いることができる。
【００１９】
図３は点灯スケジュールデータ１６の概念図である。
点灯スケジュールデータ１６は、上述の通り、照明器具２０の点灯を時刻に応じて制御するためのデータであり、時刻と照明器具２０の点灯状態との対応を規定する。
時刻と点灯状態の対応の規定は、１日を複数に分けた時間帯ごとに照明器具２０の出力を割り当てることで規定することとしている。この時間帯は、館内照明システム１の設置環境や用途に応じて適宜に設定することができる。本実施形態では、日照の有無、及び建物の開館時間／閉館時間に応じて照明を制御するために、零時を起点に１日が６時間ごとに区切られ、各時間帯で照明器具２０の出力が規定されている。照明器具２０の出力は、最大出力に対する割合を示す調光率によって規定されており、調光率が０％の場合は消灯指示として規定され、１００％の場合は最大出力（いわゆる全点灯）での点灯指示であることが規定されている。
また、点灯スケジュールデータ１６には、外部入力有効指定欄６０が設けられているが、これについては後に詳述する。
【００２０】
制御機１０は、ＲＴＣ１３が計時する現在の時刻に基づき、点灯スケジュールデータ１６に規定されたいずれかの時間帯が開始するごと（時間帯が遷移するごと）に、その時間帯に対応付けられている出力（調光率）を各照明器具２０に第１通信回路１２を通じて点灯制御信号３０として送信する。これにより、照明器具２０にあっては、点灯制御信号３０に基づき点灯状態が可変されることとなる。
【００２１】
前掲図２に戻り、制御機１０は、耐雷回路４０と、ＰＷＭ入力部４２と、接点入力部４３とを更に備える。
耐雷回路４０は、落雷時に通信線２に過渡的に発生し得る高電圧（いわゆる、サージ電圧）が第１通信回路１２に入力されて当該第１通信回路１２が故障するのを防止する回路である。具体的には、耐雷回路４０は、通信線２と第１通信回路１２の接続部に直列に接続されて、サージ電圧を吸収するサージ吸収手段としてのサージ吸収抵抗４１を備えている。なお、サージ吸収手段は、サージ吸収抵抗４１に限定されず、アレスタ、バリスタ、及びサージアブソーバのいずれかにより構成したり、サージ吸収抵抗４１、アレスタ、バリスタ、及びサージアブソーバなどのサージ吸収用部品の中から必要な部品を適宜組み合わせて構成したりしてもよい。
【００２２】
ＰＷＭ入力部４２、及び接点入力部４３のそれぞれは、照明器具２０の点灯を制御する入力信号の入力を受け付ける外部入力部である。ＰＷＭ入力部４２は、照明器具２０をＰＷＭ制御により調光する際のＰＷＭ信号４４Ａの入力を受け付ける手段である。このＰＷＭ信号４４Ａにおいては、デューティ比が調光率を指示し、デューティ比が０％の場合は１００％（最大）出力での点灯を指示し、デューティ比が１００％の場合は消灯を指示するものと規定されている。
【００２３】
接点入力部４３は、照明器具２０の点灯を指示するＨｉｇｈレベル（ＯＮレベル）／Ｌｏｗレベル（ＯＦＦレベル）の２値の接点信号４４Ｂを受け付ける手段である。Ｈｉｇｈレベルの信号は、照明器具２０の点灯を指示するものと規定されており、各種センサから検知信号が出力された場合、或いは操作スイッチがオンとなった場合には、当該Ｈｉｇｈレベルの接点信号４４Ｂが入力される。またＬｏｗレベルの接点信号４４Ｂは、照明器具２０の消灯を指示するのではなく、当該接点入力部４３による照明器具２０の点灯の制御は行わずに、上記ＰＷＭ入力部４２、或いは上記点灯スケジュールデータ１６に基づく点灯の制御をすることを指示するものと規定されている。
【００２４】
これらＰＷＭ入力部４２、及び接点入力部４３のそれぞれからの入力信号は、制御機１０に入力された場合に常に点灯の制御が行われる訳ではなく、上述の点灯スケジュールデータ１６に設けられた外部入力有効指定欄６０の有効／無効に基づいて制御の可否が決定される。
詳述すると、外部入力有効指定欄６０は、前掲図３に示すように、ＰＷＭ入力部４２、及び接点入力部４３のそれぞれの有効／無効を時間帯（時刻）ごとに予め指定するものである。外部入力有効指定欄６０に「有効」が指定されている時間帯（時刻）の間は、ＰＷＭ入力部４２、及び接点入力部４３からの入力信号の信号レベルに拘わらず、当該入力信号が規定する点灯状態となるように、制御機１０が照明器具２０を点灯制御する。
これにより、ＰＷＭ入力部４２、及び接点入力部４３からの入力信号のレベルがＬｏｗレベル（例えばアースレベル）に遷移したとしても、外部機器が未接続の状態や入力信号が未入力の状態として認識されること無く、Ｌｏｗレベルの入力信号が規定する点灯状態に照明器具２０の点灯を適切に制御できる。
【００２５】
ただし、この制御機１０においては、点灯制御の基となる制御要因として、上記点灯スケジュールデータ１６、ＰＷＭ入力部４２、及び接点入力部４３の３つの制御要因が存在し、これらの制御要因が異なる点灯制御を同時に指示する場合がある。この場合に、どれを優先されるかを規定した優先度が点灯スケジュールデータ１６には予め規定されており、本実施形態では、前掲図３に示すように、点灯スケジュールデータ１６、ＰＷＭ入力部４２、及び接点入力部４３の順で優先度が高められている。これにより、制御機１０は、これらの制御要因のうち、時刻に対応して有効とされている各制御要因が異なる点灯状態を指示する場合には、その中で優先度が最も高い制御要因の指示に基づき照明器具２０の点灯を制御することとなる。
【００２６】
また図２に示すように、制御機１０は、外部機器接続設定部４５を備える。
外部機器接続設定部４５は、ＰＷＭ入力部４２、及び接点入力部４３ごとに、照明器具２０の点灯を制御する入力信号を出力する外部機器の接続状態が「接続状態」又は「未接続状態」のどちらであるかを設定するものであり、例えばユーザ操作可能なスイッチ等で構成されている。
制御機１０は、ＰＷＭ入力部４２、及び接点入力部４３の各々について、外部機器接続設定部４５によって「未接続状態」が設定されている場合には、外部入力有効指定欄６０の設定、及び優先度に拘わらずに常に入力を無効とする。
これにより、外部機器が未接続状態のときと同じ信号レベル（例えばＬｏｗレベル）が照明器具２０の点灯状態の規定に用いられていても、当該信号レベルが入力されたときに、外部機器が未接続の状態であることを識別できるから、外部機器未接続状態のときに誤まってＬｏｗレベルの入力信号に対応した点灯の制御が行われる事を防止できる。
【００２７】
図４は、制御機１０による照明器具２０の制御動作のフローチャートである。
制御機１０は、照明器具２０の制御に際し、複数の制御要因の中から優先度が高い制御要因の順に点灯制御の指示が成されているか否かを判断する。本実施形態では、点灯スケジュールデータ１６、ＰＷＭ入力部４２、及び接点入力部４３の順で優先度が高くなるように設定されていることから、制御機１０は、先ず、接点入力部４３について点灯制御の指示の有無を判定すべく次の処理を実行する。
【００２８】
すなわち、制御機１０は、外部機器接続設定部４５の設定に基づき、接点入力部４３に外部機器が接続されているか否かを判断する（ステップＳａ１）。外部機器が接続されていない場合（ステップＳａ１：Ｎｏ）、接点入力部４３からの接点信号４４Ｂの入力は無いことから、制御機１０は、処理ステップをステップＳａ２に進め、優先度が次に高い制御要因であるＰＷＭ入力部４２について点灯制御の有無を判定する。
一方、接点入力部４３に外部機器が接続されている場合（ステップＳａ１：ＹＥＳ）、制御機１０は、現在の時刻が、この外部機器からの信号を有効にする時間帯に属するか否かを上記点灯スケジュールデータ１６に基づき判定する（ステップＳａ３）。現在の時刻が有効にする時間帯に属しない場合（ステップＳａ３：ＮＯ）、接点入力部４３からの接点信号４４Ｂは無効とされるため、制御機１０は、処理ステップをステップＳａ２に進め、優先度が次に高い制御要因であるＰＷＭ入力部４２について点灯制御の有無を判定する。また現在の時刻が有効にする時間帯に属する場合には（ステップＳａ３：ＹＥＳ）、接点入力部４３からの接点信号４４Ｂに基づく点灯の制御をすることとなる。
【００２９】
上述の通り、接点信号４４Ｂは、Ｈｉｇｈレベル（ＯＮレベル）が照明器具２０の点灯を指示し、Ｌｏｗレベル（ＯＦＦレベル）が他の制御要因に基づく点灯制御をする事を指示するものと規定されている。したがって、制御機１０は、接点信号４４ＢがＨｉｇｈレベルの間は（ステップＳａ４：Ｈｉｇｈ）、照明器具２０を例えば調光率１００％の最大出力で点灯させ（ステップＳａ５）、Ｌｏｗレベルの間は（ステップＳａ４：Ｌｏｗ）、優先度が次に高い制御要因であるＰＷＭ入力部４２について点灯制御の有無を判定すべく、ステップＳａ２に処理ステップを進める。このように、接点信号４４Ｂの信号レベルがＬｏｗレベルとなった場合でも、外部機器が未接続の状態や入力信号が未入力の状態として認識されて、Ｌｏｗレベルの接点信号４４Ｂが無視されること無く、接点信号４４Ｂの規定に則った制御が行われる。
【００３０】
ステップＳａ２では、制御機１０は、外部機器接続設定部４５の設定に基づき、ＰＷＭ入力部４２に外部機器が接続されているか否かを判断し（ステップＳａ２）、外部機器が接続されていない場合（ステップＳａ２：Ｎｏ）、ＰＷＭ入力部４２からのＰＷＭ信号４４Ａの入力が無いことから、制御機１０は、処理ステップをステップＳａ６に進め、優先度が次に高い制御要因である点灯スケジュールデータ１６について点灯制御の有無を判定する。
一方、ＰＷＭ入力部４２に外部機器が接続されている場合（ステップＳａ２：ＹＥＳ）、制御機１０は、現在の時刻が、この外部機器からの信号を有効にする時間帯に属するか否かを上記点灯スケジュールデータ１６に基づき判定する（ステップＳａ７）。現在の時刻が有効にする時間帯に属しない場合（ステップＳａ７：ＮＯ）、ＰＷＭ入力部４２からのＰＷＭ信号４４Ａは無効とされるため、制御機１０は、処理ステップをステップＳａ６に進め、優先度が次に高い制御要因である点灯スケジュールデータ１６について点灯制御の有無を判定する。また現在の時刻が有効にする時間帯に属する場合（ステップＳａ７：ＹＥＳ）には、ＰＷＭ入力部４２からのＰＷＭ信号４４Ａに基づき点灯を制御する。すなわち、上述の通り、ＰＷＭ信号４４Ａは、デューティ比によって調光率を指示し、デューティ比が０％の場合は１００％（最大）出力での点灯を指示し、デューティ比が１００％の場合は消灯を指示するものと規定されていることから、制御機１０は、この規定に則って照明器具２０の調光を制御することとなる（ステップＳａ８）。これにより、ＰＷＭ信号４４Ａの信号レベルがＬｏｗレベルとなった場合でも、外部機器が未接続の状態や入力信号が未入力の状態として認識されて、ＬｏｗレベルのＰＷＭ信号４４Ａが無視されること無く、ＰＷＭ信号４４Ａの規定に則り、１００％（最大）調光で照明器具２０が点灯されることとなる。
【００３１】
ステップＳａ６では、制御機１０は、点灯スケジュールデータ１６が設定されているか否かを判断する（ステップＳａ６）。この判断では、点灯スケジュールデータ１６が何らかの理由でデータ記憶部１５に記憶されていない場合、当該点灯スケジュールデータ１６が破損している場合、或いは点灯制御に十分な設定が点灯スケジュールデータ１６になされていない場合等のように、点灯スケジュールデータ１６に基づく点灯制御が実行できない状態のときに、点灯スケジュールデータ１６が設定されていないと判断される。
点灯スケジュールデータ１６が設定されている場合（ステップＳａ６：Ｙｅｓ）、制御機１０は、点灯スケジュールデータ１６を参照し、現在の時刻に対応した調光制御を行う。即ち、制御機１０は、点灯スケジュールデータ１６内のデータのうち、現在の時刻を含む時間帯に対応して規定された調光率を選択し、選択した調光率で照明器具２０が点灯されるように、照明器具２０の調光制御を行う（ステップＳａ９）。
一方、点灯スケジュールデータ１６が設定されていなかった場合（ステップＳａ６：Ｎｏ）、有効な制御要因が全く無かった事を意味する。この場合、制御要因が無いため、照明器具２０の点灯制御は全く行われずに消灯状態となる。しかしながら、制御要因が無く照明器具２０が無制御の状態に陥いる状況は、何らかの故障や点灯スケジュールデータ１６の設定ミス等の虞がある。そこで、この場合にはフェイルセーフとして、制御機１０は、照明器具２０を点灯状態（例えば１００％調光）とする（ステップＳａ１０）。
【００３２】
図５は、制御機１０による一日（午前零時から午後２４時まで）に亘る調光制御動作の一例を示す図である。なお、同図は、ＰＷＭ入力部４２、及び接点入力部４３のそれぞれに外部機器が接続されている場合の調光制御動作を示す。
同図に示すように、制御機１０の点灯制御結果は、３つの制御要因のうち、各時点での現在時刻において、優先度が最も高い制御要因に基づいて点灯（本実施形態では調光）が制御される。
これにより、図５の例のように、閉館時間帯である深夜時間帯については、接点入力部４３、及びＰＷＭ入力部４２が有効とし、接点入力部４３に人感センサ、或いは防犯機を外部機器として接続することで、深夜時間帯に、照明対象の空間で人が検知され接点入力部４３からＨｉｇｈレベルの接点信号４４Ｂが入力されている間だけ、照明器具２０を１００％調光で点灯し、照明対象の空間の明るさを確保することができる。
【００３３】
以上説明したように、本実施形態によれば、点灯スケジュールデータ１６に外部入力有効指定欄６０を設け、この外部入力有効指定欄６０で「有効」が指定されている時間帯では、外部機器の入力信号の信号レベルが規定する点灯状態に制御機１０が照明器具２０を制御する構成とした。これにより、外部機器の入力信号の信号レベルが如何なるレベルとなった場合でも、外部機器が未接続の状態、或いは入力信号が未入力の状態とみなされる事がなく、外部機器の入力信号が規定する点灯状態に照明器具２０を適切に制御できる。
【００３４】
また本実施形態によれば、外部機器の入力信号を有効にする時間帯を点灯スケジュールデータ１６に予め規定し、これにしたがって有効／無効の指定を行う構成とした。
これにより、外部機器による点灯の制御が必要と推定される時間帯だけ、確実に外部機器による点灯制御を実行させることができる。
【００３５】
特に、本実施形態によれば、ＰＷＭ入力部４２、及び接点入力部４３のように複数の外部入力部を備えた場合でも、それぞれの外部入力部から重複して入力信号が入力された場合に優先する順位（優先度）を予め設定する構成としたため、複数の外部機器を状況に応じて組み合わせて、照明対象の空間の状況に合わせた適切な点灯制御を実現できる。
【００３６】
なお、上述した実施形態は、あくまでも本発明の一態様を例示したものであって、本発明の趣旨を逸脱しない範囲で任意に変形、及び応用が可能である。
【００３７】
例えば、上述した実施形態では、接点信号４４ＢがＬｏｗレベルのときは、他の制御要因による点灯制御を実行する規定としていたが、これに限らず、調光率を割り当てても良い。すなわち、接点信号４４ＢがＨｉｇｈレベルのときは１００％調光を指示し、Ｌｏｗレベルのときは２５％調光を指示する、といった規定としても良い。
また、ＰＷＭ信号４４Ａについては、Ｌｏｗレベル（デューティ比０％）のときに１００％調光を指示するのではなく、他の制御要因による点灯制御を実行する、といった規定としても良い。
接点信号４４Ｂ、及びＰＷＭ信号４４Ａを、以上のような規定とした場合、前掲図５に示した動作例では、図６に示すように、接点信号４４Ｂが有効な時間帯は、当該接点信号４４Ｂの信号レベルに応じて照明器具２０の調光制御が行われる。また、ＰＷＭ信号４４Ａに基づく点灯制御をする際に、当該ＰＷＭ信号４４ＡがＬｏｗレベル（デューティ比０％）である場合には、優先度が次ぎに高い点灯スケジュールデータ１６に規定された調光率で点灯制御が行われる。
【００３８】
また上述した実施形態において、外部機器の入力信号に基づいて、全ての照明器具２０の点灯を制御するのではなく、予め設定した一部の照明器具２０のみが外部機器の入力信号に基づいて制御される構成としても良い。
また、制御要因に基づく調光制御の際に、複数の照明器具２０の全てを同一の調光率で制御するのではなく、照明器具２０ごとに異なる調光率で制御しても良い。
【００３９】
また上述した実施形態では、外部機器接続設定部４５をユーザ操作可能なスイッチ等での構造物で構成したが、これに限らず、外部機器の接続状態を示すデータをデータ記憶部１５に記憶する構成としても良い。
また上述した実施形態において、ＰＷＭ入力部４２及び接点入力部４３の他にも、外部入力部を備えても良い。
【００４０】
また、上述した実施形態では、点灯スケジュールデータ１６に外部入力有効指定欄６０を設け、この外部入力有効指定欄６０で、ＰＷＭ入力部４２及び接点入力部４３からの入力信号を有効に指定する時間帯を設定する構成とした。しかしながら、この構成に限らず、上記外部機器接続設定部４５により外部機器が「接続状態」であると設定されている間は、当該設定を以って、当該外部機器からの入力信号に基づく点灯制御の実行が指定されたものとする構成としても良い。この構成においても、外部機器が「接続状態」であるにも拘わらず、信号レベルがＬｏｗレベルとなったときに、外部機器が未接続の状態や入力信号が未入力の状態として認識されて、Ｌｏｗレベルの入力信号が無視される、といった事態を回避でき、入力信号の信号レベルで規定された点灯状態に照明器具２０を制御できる。
【００４１】
また、外部入力部は、照明器具２０をＰＷＭ制御により調光する際のＰＷＭ信号４４Ａの入力を受け付けるＰＷＭ入力部４２や、照明器具２０の点灯を指示するＯＮレベル／ＯＦＦレベルの２値の設定信号４４Ｂの入力を受け付ける接点入力部４３であるものとして説明したが、外部入力部は、これらのものに限定されない。例えば、照明器具２０として、光色を変更可能なものを採用した場合には、照明器具２０の光色を指示するための光色指示信号を受け付ける光色指示信号入力部を、外部入力部として設けてもよい。例えば、照明器具２０が、所定数の光色から選択的に光色を変更可能になっている場合、光色指示信号を、適宜信号レベルを変更して光色指示信号入力部に入力可能な外部機器を設けておく。照明器具２０の複数の光色のそれぞれに、互いに異なるレベルの光色指示信号を関連付けして、制御機１０に認識させることで、光色指示信号を出力する外部機器の操作により、照明器具２０の光色制御を制御機１０に行わせることが可能になる。
また、本発明の制御機１０は、屋内に設けられる照明器具２０の点灯制御を行うものとして説明したが、例えば、街路灯や道路灯等の屋外設置型の照明器具の点灯制御にも用いることができる。
【符号の説明】
【００４２】
１  館内照明システム
１０  制御機
１１  マイコン
１３  ＲＴＣ（時計手段）
１５  データ記憶部
１６  点灯スケジュールデータ
２０  照明器具
４２  ＰＷＭ入力部（外部入力部）
４３    接点入力部（外部入力部）
４４Ａ  ＰＷＭ信号（入力信号）
４４Ｂ  接点信号（入力信号）
４５  外部機器接続設定部
６０  外部入力有効指定欄（指定手段）
【図１】
2013149464.tif 000003
【図２】
2013149464.tif 000004
【図３】
2013149464.tif 000005
【図４】
2013149464.tif 000006
【図５】
2013149464.tif 000007
【図６】
2013149464.tif 000008